(57)【要約】【課題】発生した異常が軽度な異常か重度の異常かを区別することが可能な表示用アクセサリを提供する。【解決手段】表示用アクセサリは、カメラボディに着脱可能な表示用アクセサリであって、カメラボディから出力される映像信号に基づき映像を表示する表示手段と、表示用アクセサリにおける複数種類の異常の発生を検知する異常検知手段と、異常検知手段により検知された複数種類の異常を、表示手段による映像の表示に及ぼす影響の大きさに応じて軽度異常と重度異常とに分類する分類手段と、軽度異常に分類される異常が発生したか否かを表す軽度異常データと、重度異常に分類される異常が発生したか否かを表す重度異常データとをカメラボディに送信する送信手段と、を備える。【選択図】図１
2015076632.tif 000002
【特許請求の範囲】
【請求項１】
カメラボディに着脱可能な表示用アクセサリであって、
前記カメラボディから出力される映像信号に基づき映像を表示する表示手段と、
前記表示用アクセサリにおける複数種類の異常の発生を検知する異常検知手段と、
前記異常検知手段により検知された前記複数種類の異常を、前記表示手段による前記映像の表示に及ぼす影響の大きさに応じて軽度異常と重度異常とに分類する分類手段と、
前記軽度異常に分類される異常が発生したか否かを表す軽度異常データと、前記重度異常に分類される異常が発生したか否かを表す重度異常データとを前記カメラボディに送信する送信手段と、
を備えることを特徴とする表示用アクセサリ。
【請求項２】
請求項１に記載の表示用アクセサリにおいて、
前記分類手段は、前記表示手段が前記映像を表示できない異常を前記重度異常に分類し、前記表示手段が前記映像を継続して表示することに異常をきたす異常を前記軽度異常に分類することを特徴とする表示用アクセサリ。
【請求項３】
請求項１または２に記載の表示用アクセサリにおいて、
前記カメラボディから供給される電源電圧に基づいて、前記表示手段の動作電圧を生成する電圧生成手段を備え、
前記異常検知手段は、前記カメラボディから前記映像信号を正常に受信できない第１異常と、前記電圧生成手段が前記動作電圧を正常に生成できない第２異常とを検知可能に構成され、
前記分類手段は、前記第１異常および前記第２異常を前記重度異常に分類することを特徴とする表示用アクセサリ。
【請求項４】
請求項３に記載の表示用アクセサリにおいて、
前記異常検知手段により前記第１異常または前記第２異常が検知された場合、前記表示手段による前記映像の表示を禁止する禁止手段を備えることを特徴とする表示用アクセサリ。
【請求項５】
請求項１〜４のいずれか一項に記載の表示用アクセサリにおいて、
前記表示用アクセサリの内部温度を検出する温度検出手段を備え、
前記異常検知手段は、前記温度検出手段により所定のしきい値以上の温度が検出された第３異常を検知可能に構成され、
前記分類手段は、前記第３異常を前記軽度異常に分類することを特徴とする表示用アクセサリ。
【請求項６】
請求項５に記載の表示用アクセサリにおいて、
前記表示手段は、前記異常検知手段により前記第３異常が検知された場合、前記表示手段における発熱が低減するように動作することを特徴とする表示用アクセサリ。
【請求項７】
請求項１〜６のいずれか一項に記載の表示用アクセサリにおいて、
ユーザの近接動作を検出する動作検出手段を備え、
前記異常検知手段は、前記動作検出手段が前記近接動作を正常に検出できない第４異常を検知可能に構成され、
前記分類手段は、前記第４異常を前記軽度異常に分類することを特徴とする表示用アクセサリ。
【請求項８】
請求項７に記載の表示用アクセサリにおいて、
前記動作検出手段による前記近接動作の検出結果に応じて前記表示手段に前記映像を表示するか否かを決定する自動表示モードと、前記動作検出手段による前記近接動作の検出結果に関わらず前記表示手段に前記映像を表示する手動表示モードとを択一的に設定するモード設定手段を備え、
前記モード設定手段は、前記異常検知手段により前記第４異常が検知された場合、前記自動表示モードの設定を禁止することを特徴とする表示用アクセサリ。
【発明の詳細な説明】
【技術分野】
【０００１】
本発明は、表示用アクセサリに関する。
【背景技術】
【０００２】
従来、自機器内の異常を検知することが可能な電子機器が知られている。例えば特許文献１には、計数した異常の検知回数に応じて表示画面を変化させることにより、電源の再投入を促したり、サポートセンターへ連絡することを促したりして、使用者が機器の使用できる機会を逃すことを軽減する電子機器が記載されている。
【先行技術文献】
【特許文献】
【０００３】
【特許文献１】特開２０１０−２８３３０号公報
【発明の概要】
【発明が解決しようとする課題】
【０００４】
従来技術には、異常の重大さを考慮せずに異常の検知回数を計数してしまうという問題があった。
【課題を解決するための手段】
【０００５】
請求項１に記載の表示用アクセサリは、カメラボディに着脱可能な表示用アクセサリであって、前記カメラボディから出力される映像信号に基づき映像を表示する表示手段と、前記表示用アクセサリにおける複数種類の異常の発生を検知する異常検知手段と、前記異常検知手段により検知された前記複数種類の異常を、前記表示手段による前記映像の表示に及ぼす影響の大きさに応じて軽度異常と重度異常とに分類する分類手段と、前記軽度異常に分類される異常が発生したか否かを表す軽度異常データと、前記重度異常に分類される異常が発生したか否かを表す重度異常データとを前記カメラボディに送信する送信手段と、を備えることを特徴とする。
【発明の効果】
【０００６】
本発明によれば、発生した異常が軽度な異常か重度の異常かを区別することができる。
【図面の簡単な説明】
【０００７】
【図１】本発明を適用したレンズ交換式のカメラシステムを示した斜視図である。
【図２】本発明を適用したレンズ交換式のカメラシステムを示した斜視図である。
【図３】カメラボディ１００とアクセサリ３００の構成を模式的に示すブロック図である。
【図４】動作状態データの構成を示す模式図である。
【図５】定常通信処理のフローチャートである。
【発明を実施するための形態】
【０００８】
（第１の実施の形態）
以下、本発明の第１の実施の形態に係るレンズ交換式のデジタルカメラについて説明する。なお、以下の説明では本発明に特に関係する箇所について述べ、それ以外の箇所については図示と説明を省略する。
【０００９】
図１および図２は、本発明を適用したレンズ交換式のカメラシステムを示した斜視図である。カメラシステム１は、カメラボディ１００と、カメラボディ１００に着脱可能な交換レンズ２００と、カメラボディ１００に着脱可能なアクセサリ３００とから構成される。カメラボディ１００、交換レンズ２００、およびアクセサリ３００は、それぞれ複数の種類が存在する。ユーザは、カメラシステム１に属するカメラボディ１００と、交換レンズ２００と、アクセサリ３００とを、それぞれ任意の種類のものを組み合わせて利用することができる。
【００１０】
カメラボディ１００の筐体前面１０には、交換レンズ２００が着脱可能に取り付けられるボディ側マウント部１０１が設けられている。交換レンズ２００には、ボディ側マウント部１０１に対応する、カメラボディ１００が着脱可能に取り付けられるレンズ側マウント部２０１が設けられている。
【００１１】
カメラボディ１００内のボディ側マウント部１０１後方には、例えばＣＭＯＳやＣＣＤなどの撮像素子１０２が設けられている。カメラボディ１００の筐体上面２０には、レリーズスイッチ１０３が設けられている。カメラボディ１００の筐体後面３０には、種々のボタン１０４が設けられている。ユーザはレリーズスイッチ１０３やボタン１０４等の入力装置を用いて、カメラボディ１００に撮影指示や撮影条件の設定指示等を入力する。
【００１２】
カメラボディ１００の筐体後面３０には、背面モニタ１０５が設けられている。背面モニタ１０５は、例えば液晶ディスプレイ等を用いた表示装置である。背面モニタ１０５は、例えば被写体像のライブビュー表示や、撮影設定のメニュー表示等を行う。
【００１３】
カメラボディ１００の筐体上面２０には、アクセサリ３００が着脱可能に取り付けられるシュー座１０６が設けられている。アクセサリ３００には、シュー座１０６に対応する、カメラボディ１００が着脱可能に取り付けられるコネクタ３０１が設けられている。
【００１４】
アクセサリ３００は、いわゆる電子ビューファインダー（ＥＶＦ）機能を提供する。アクセサリ３００の背面４０には、ファインダー窓３０２が設けられている。アクセサリ３００内部には、液晶パネル３０３が設けられている。ユーザは、ファインダー窓３０２を覗くことにより、液晶パネル３０３に表示された映像を視認することができる。
【００１５】
ファインダー窓３０２の近傍には、近接センサ３１６が設けられている。近接センサ３１６は、ファインダー窓３０２にユーザの顔が近接していること、すなわち、ユーザがファインダー窓３０２を覗いていることを検知する。近接センサ３１６の検知結果は、液晶パネル３０３と背面モニタ１０５のどちらにライブビュー表示等を行うかを決定するために用いられる。
【００１６】
アクセサリ３００の筐体には、プッシュボタン３２０が設けられている。ユーザはプッシュボタン３２０を押下する押下操作を行うことができる。プッシュボタン３２０の押下操作は、液晶パネル３０３と背面モニタ１０５のどちらにライブビュー表示等を行うかを決定するために用いられる。
【００１７】
カメラボディ１００にアクセサリ３００を装着すると、通常は背面モニタ１０５に表示される画面を、アクセサリ３００の液晶パネル３０３に表示することができる。例えば、いわゆるライブビューやメニュー画面は、通常は背面モニタ１０５に表示されるが、アクセサリ３００の液晶パネル３０３に表示先を切り替えることができる。背面モニタ１０５と液晶パネル３０３は排他的に利用される。
【００１８】
図３は、カメラボディ１００とアクセサリ３００の構成を模式的に示すブロック図である。カメラボディ１００のシュー座１０６には、２１個の電気接点ＰＢ１〜ＰＢ２１が設けられている。アクセサリ３００のコネクタ３０１には、２１個の電気接点ＰＡ１〜ＰＡ２１が設けられている。アクセサリ３００をカメラボディ１００に装着すると、シュー座１０６に設けられた２１個の電気接点ＰＢ１〜ＰＢ２１と、コネクタ３０１に設けられた２１個の電気接点ＰＡ１〜ＰＡ２１とが電気的に接続される。これらの接点は、カメラボディ１００からアクセサリ３００への電力供給や、カメラボディ１００とアクセサリ３００との間の信号の授受に用いられる。
【００１９】
カメラボディ１００は、ボディＣＰＵ１１０と、バッテリー１１１と、ＤＣ／ＤＣコンバータ１１２と、トランスミッタＩＣ１１３とを備える。ボディＣＰＵ１１０は、不図示のＲＯＭに予め格納された制御プログラムを読み込んで実行することにより、カメラボディ１００全体の制御を行う。バッテリー１１１は、カメラボディ１００やアクセサリ３００の電力源である二次電池である。バッテリー１１１は、電気接点ＰＢ１１、ＰＢ１２、ＰＡ１１、ＰＡ１２を介して、アクセサリ３００に電圧ＶＢＡＴを供給する。電圧ＶＢＡＴは、例えば５〜１２ボルト程度の電圧である。ＤＣ／ＤＣコンバータ１１２は、バッテリー１１１から供給される電圧ＶＢＡＴを変換する。ＤＣ／ＤＣコンバータ１１２は、電気接点ＰＢ１４を介して、アクセサリ３００に電圧Ｖｃｃを供給する。電圧Ｖｃｃは、約３．３ボルトの電圧である。トランスミッタＩＣ１１３は、映像信号を送信するＩＣである。トランスミッタＩＣ１１３は、電気接点ＰＢ１９、ＰＢ２０、ＰＡ１９、ＰＡ２０を介して、アクセサリ３００に映像信号を送信する。
【００２０】
アクセサリ３００は、アクセサリＣＰＵ３１０と、レシーバＩＣ３１３と、ドライバＩＣ３１４と、電源生成回路３１５と、温度センサ３１７とを備える。アクセサリＣＰＵ３１０は、不図示のＲＯＭに予め格納された制御プログラムを読み込んで実行することにより、アクセサリ３００全体の制御を行う。レシーバＩＣ３１３は、映像信号を受信するＩＣである。レシーバＩＣ３１３は、電気接点ＰＢ１９、ＰＢ２０、ＰＡ１９、ＰＡ２０を介して、カメラボディ１００から映像信号を受信する。レシーバＩＣ３１３は、カメラボディ１００が有するトランスミッタＩＣ１１３と対になっている。ドライバＩＣ３１４は、液晶パネル３０３の駆動制御を行う。
【００２１】
電源生成回路３１５は、電気接点ＰＢ１１、ＰＢ１２、ＰＡ１１、ＰＡ１２を介してカメラボディ１００から入力された電圧ＶＢＡＴを変換し、種々の電圧を生成する。これらの電圧は、アクセサリ３００が有するアクセサリＣＰＵ３１０と電源生成回路３１５以外の各部に供給される。温度センサ３１７は、アクセサリ３００の筐体内に設けられ、アクセサリ３００の筐体内部の温度を検出する。
【００２２】
カメラボディ１００が電源オン状態のとき、撮像素子１０２は所定時間（例えば６０分の１秒）ごとに繰り返し撮像を行い、撮像信号を出力する。撮像素子１０２から出力された撮像信号は、ボディＣＰＵ１１０に入力される。ボディＣＰＵ１１０は、入力された撮像信号に種々の画像処理を施した映像信号を出力する。ボディＣＰＵ１１０が出力した映像信号は、トランスミッタＩＣ１１３および背面モニタ１０５の一方に入力される。映像信号が背面モニタ１０５に入力された場合、背面モニタ１０５は、入力された映像信号に基づく映像（スルー画）を表示する。
【００２３】
他方、映像信号がトランスミッタＩＣ１１３に入力された場合、トランスミッタＩＣ１１３は、入力された映像信号を、いわゆるＬＶＤＳ（Low Voltage Differential Signaling）に基づく一対の映像信号にシリアライズする。トランスミッタＩＣ１１３は、シリアライズした信号を、電気接点ＰＢ１９、ＰＢ２０、ＰＡ１９、ＰＡ２０を介してアクセサリ３００に送信する。
【００２４】
アクセサリ３００内のレシーバＩＣ３１３は、受信したＬＶＤＳに基づく一対の映像信号を、元の映像信号にデシリアライズする。レシーバＩＣ３１３は、デシリアライズした映像信号を、ドライバＩＣ３１４に出力する。ドライバＩＣ３１４は、入力された映像信号に基づく映像（スルー画）を、液晶パネル３０３に表示する。
【００２５】
アクセサリＣＰＵ３１０は、レシーバＩＣ３１３およびドライバＩＣ３１４と接続されている。アクセサリＣＰＵ３１０は、レシーバＩＣ３１３やドライバＩＣ３１４に所定の制御信号を出力することにより、レシーバＩＣ３１３やドライバＩＣ３１４の動作を開始させたり、逆に動作を停止させたりする。
【００２６】
ボディＣＰＵ１１０とアクセサリＣＰＵ３１０とは、信号線CLK、DATA、DISP_CHGにより接続されている。信号線CLKおよび信号線DATAは、ボディＣＰＵ１１０とアクセサリＣＰＵ３１０との間で半二重のシリアルデータ通信を行うための信号線である。このようなシリアルデータ通信は周知であるので、説明を省略する。信号線DISP_CHGは、アクセサリＣＰＵ３１０からボディＣＰＵ１１０へ、背面モニタ１０５と液晶パネル３０３との間の表示切り替えを要請するための信号線である。アクセサリＣＰＵ３１０は、近接センサ３１６の検知状態等に基づき、背面モニタ１０５と液晶パネル３０３のどちらにスルー画等を表示するかを決定する。アクセサリＣＰＵ３１０は、スルー画等の表示先を切り替えるべきであると判断すると、信号線DISP_CHGに制御信号を出力する。ボディＣＰＵ１１０は、信号線DISP_CHGを介して制御信号が入力されると、スルー画やメニュー画面等の表示先を切り替える。
【００２７】
（アクセサリ３００の動作モードの説明）
アクセサリ３００は、ボディ側表示モードと、アクセサリ側表示モードと、自動切替モードと、の３つの動作モードを有する。アクセサリ３００にボディ側表示モードが設定されている場合、アクセサリＣＰＵ３１０は、スルー画等の表示先を背面モニタ１０５に固定する。つまり、近接センサ３１６による検出状態に関わらず、スルー画等を常に背面モニタ１０５に表示させ、液晶パネル３０３には表示させない。
【００２８】
アクセサリ３００にアクセサリ側表示モードが設定されている場合、アクセサリＣＰＵ３１０は、スルー画等の表示先を液晶パネル３０３に固定する。つまり、近接センサ３１６による検出状態に関わらず、スルー画等を常に液晶パネル３０３に表示させ、背面モニタ１０５には表示させない。
【００２９】
アクセサリ３００に自動切替モードが設定されている場合、アクセサリＣＰＵ３１０は、スルー画等の表示先を近接センサ３１６の検出状態に基づいて決定する。すなわち、ユーザの近接動作が検出されている場合にはスルー画等の表示先を液晶パネル３０３に設定し、ユーザの近接動作が検出されていない場合にはスルー画等の表示先を背面モニタ１０５に設定する。
【００３０】
アクセサリＣＰＵ３１０は、以上の３つの動作モードを、プッシュボタン３２０が押下される度に切り替える。例えば、自動切替モードが設定されているときにプッシュボタン３２０が押下さえれると、アクセサリＣＰＵ３１０は動作モードをボディ側表示モードに切り替える。ボディ側表示モードが設定されているときにプッシュボタン３２０が押下さえれると、アクセサリＣＰＵ３１０は動作モードをアクセサリ側表示モードに切り替える。アクセサリ側表示モードが設定されているときにプッシュボタン３２０が押下さえれると、アクセサリＣＰＵ３１０は動作モードを自動切替モードに切り替える。
【００３１】
（定常通信の説明）
カメラボディ１００が電源オン状態のとき、アクセサリＣＰＵ３１０は、定期的に（例えば１６ミリ秒毎に）ボディＣＰＵ１１０へアクセサリ３００の動作状態を表す動作状態データを送信する。アクセサリＣＰＵ３１０は、信号線CLK、DATAを介したシリアルデータ通信によって、動作状態データをボディＣＰＵ１１０に送信する。
【００３２】
図４は、動作状態データの構成を示す模式図である。動作状態データ４００は、軽度異常データ４１０と、重度異常データ４２０とを含む。軽度異常データ４１０は、アクセサリ３００に軽度の異常が発生しているか否かを表すデータである。重度異常データ４２０は、アクセサリ３００に重度の異常が発生しているか否かを表すデータである。
【００３３】
アクセサリＣＰＵ３１０は、アクセサリ３００における複数種類の異常の発生を検知する。そして、検知した複数種類の異常を、アクセサリ３００の表示機能、すなわち液晶パネル３０３への映像の表示に及ぼす影響の大きさに応じて軽度異常と重度異常とに分類する。
【００３４】
例えばアクセサリＣＰＵ３１０は、軽度異常も重度異常も発生していない場合には、軽度異常データ４１０を「０」、重度異常データ４２０を「０」にそれぞれ設定した動作状態データ４００をボディＣＰＵ１１０に送信する。他方、軽度異常が発生している場合には、軽度異常データ４１０を「１」に、重度異常データ４２０を「０」に設定した動作状態データ４００をボディＣＰＵ１１０に送信する。ボディＣＰＵ１１０は、軽度異常データ４１０が「１」に設定されている動作状態データを受信した場合、アクセサリ３００に何らかの異常が生じていることをユーザに報知する。例えば、スルー画等に重畳して異常を示すメッセージを表示する。
【００３５】
また、アクセサリＣＰＵ３１０は、重度異常が発生している場合には、重度異常データ４２０を「１」に設定した動作状態データ４００をボディＣＰＵ１１０に送信する。ボディＣＰＵ１１０は、軽度異常データ４１０が「０」か「１」かに関わらず、重度異常データ４２０が「１」に設定されている動作状態データを受信した場合、アクセサリ３００に何らかの異常が生じていることをユーザに報知すると共に、アクセサリ３００が取り外されるかアクセサリ３００の異常が解消するかするまで撮影操作を禁止する。
【００３６】
本実施形態のアクセサリＣＰＵ３１０は、第１異常〜第４異常の４種類の異常を検知可能に構成されている。第１異常は、カメラボディ１００から映像信号を正常に受信できない異常である。例えば、映像信号を受信するレシーバＩＣ３１３が故障していたり、映像信号を授受する電気接点ＰＡ１９、ＰＡ２０が断線していた場合に、アクセサリＣＰＵ３１０は第１異常が発生していると判断する。
【００３７】
第２異常は、電源生成回路３１５が液晶パネル３０３等の動作電圧を正常に生成できない異常である。例えば、電源生成回路３１５が故障していたり、電圧ＶＢＡＴを授受する電気接点ＰＡ１１、ＰＡ１２が断線していた場合に、アクセサリＣＰＵ３１０は第２異常が発生していると判断する。なお、アクセサリＣＰＵ３１０は、電圧ＶＢＡＴとは別系統の電圧Ｖｃｃにより動作するので、電圧ＶＢＡＴが断線等により供給されない場合であっても動作を継続することができる。
【００３８】
第３異常は、温度センサ３１７により所定のしきい値以上の温度が検出された異常である。例えば、アクセサリＣＰＵ３１０やレシーバＩＣ３１３、ドライバＩＣ３１４、液晶パネル３０３等の発熱量が大きく、温度センサ３１７により検出された筐体内の温度が所定のしきい値以上であった場合に、アクセサリＣＰＵ３１０は第３異常が発生していると判断する。
【００３９】
第４異常は、近接センサ３１６がユーザの近接動作を正常に検出できない異常である。例えば、近接センサ３１６が故障していたり、近接センサ３１６とアクセサリＣＰＵ３１０を接続する信号線が断線していた場合に、アクセサリＣＰＵ３１０は第４異常が発生していると判断する。
【００４０】
アクセサリＣＰＵ３１０は、以上で説明した第１異常〜第４異常のうち、第１異常および第２異常を重度異常に分類する。第１異常および第２異常を重度異常に分類するのは、液晶パネル３０３に映像を表示できない可能性が高いためである。他方、第３異常および第４異常を軽度異常に分類するのは、いずれも液晶パネル３０３への映像表示に直ちに影響がある異常ではないが、液晶パネル３０３に映像を正しく表示できない可能性があるためである。換言すると、アクセサリＣＰＵ３１０は、液晶パネル３０３が映像の表示をできない異常を重度異常に分類し、液晶パネル３０３が映像の表示を継続することに異常をきたす異常を軽度異常に分類する。
【００４１】
アクセサリＣＰＵ３１０は、第３異常を検知すると、アクセサリ３００内の温度がこれ以上高くならないよう、発熱を低減させる制御を実行する。具体的には、例えば液晶パネル３０３に表示される映像のフレームレートを、フレームを間引くことにより低下させたり、液晶パネル３０３のバックライトの輝度を低下させたりすることにより、アクセサリＣＰＵ３１０、ドライバＩＣ３１４、液晶パネル３０３等からの発熱の低減を試みる。
【００４２】
アクセサリＣＰＵ３１０は、第４異常を検知すると、上述した３つの動作モードのうち、自動切替モードの設定を禁止する。この状態のときにユーザがプッシュボタン３２０を押下すると、アクセサリＣＰＵ３１０は、ボディ側表示モードとアクセサリ側表示モードとの間でモード切替を行い、自動切替モードを設定しない。
【００４３】
このように、第３異常および第４異常は、アクセサリＣＰＵ３１０が適切な制御を行うことで、液晶パネル３０３への映像表示を継続することができる程度の異常である。これに比べ、第１異常および第２異常は、アクセサリＣＰＵ３１０には対処できない異常、換言すると液晶パネル３０３に映像を表示できない異常であって、アクセサリ３００の正常動作を継続できない程の異常である。よってアクセサリＣＰＵ３１０は、このような重要度の大きい異常を重度異常に分類する。
【００４４】
図５は、定常通信処理のフローチャートである。定常通信処理は、カメラボディ１００およびアクセサリ３００の電源オン中に、アクセサリＣＰＵ３１０が所定期間毎に繰り返し実行する。
【００４５】
まずステップＳ１００において、アクセサリＣＰＵ３１０は、レシーバＩＣ３１３により受信された映像信号に異常が生じているか否かを判定する。映像信号が正常に受信できている場合、アクセサリＣＰＵ３１０は処理をステップＳ１１０に進める。ステップＳ１１０でアクセサリＣＰＵ３１０は、電源生成回路３１５の出力電圧が所定のしきい値未満か否かを判定する。出力電圧が所定のしきい値以上である場合、アクセサリＣＰＵ３１０は処理をステップＳ１２０に進める。ステップＳ１２０でアクセサリＣＰＵ３１０は、重度異常データ４２０を「０」にセットする。
【００４６】
他方、ステップＳ１００において映像信号に異常が生じていた場合、または、ステップＳ１１０において電源生成回路３１５の出力電圧が所定のしきい値未満であった場合、アクセサリＣＰＵ３１０は処理をステップＳ１２５に進める。ステップＳ１２５でアクセサリＣＰＵ３１０は、液晶パネル３０３による映像の表示を禁止する。例えば、ドライバＩＣ３１４による液晶パネル３０３の駆動を中止したり、液晶パネル３０３への電圧供給を中止したりする。ステップＳ１３０においてアクセサリＣＰＵ３１０は、重度異常データ４２０を「１」にセットし、後述するステップＳ１７０に進める。
【００４７】
ステップＳ１４０でアクセサリＣＰＵ３１０は、温度センサ３１７により検出された温度が所定のしきい値以上か否かを判定する。温度センサ３１７が所定のしきい値未満の温度を検出した場合、アクセサリＣＰＵ３１０は処理をステップＳ１５０に進める。ステップＳ１５０でアクセサリＣＰＵ３１０は、近接センサ３１６との通信を試みる。そして、近接センサ３１６との通信が失敗したか否かを判定する。通信に成功した場合、アクセサリＣＰＵ３１０は処理をステップＳ１６０に進める。ステップＳ１６０でアクセサリＣＰＵ３１０は、軽度異常データ４１０を「０」にセットする。
【００４８】
他方、ステップＳ１４０において検出された温度が所定のしきい値以上であった場合、アクセサリＣＰＵ３１０は処理をステップＳ１８０に進める。ステップＳ１８０でアクセサリＣＰＵ３１０は、液晶パネル３０３に表示される映像のフレームレートを低減すると共に、バックライトを減灯する。これにより、液晶パネル３０３やドライバＩＣ３１４等からの発熱が低減される。続くステップＳ２００でアクセサリＣＰＵ３１０は、軽度異常データ４１０を「１」にセットする。
【００４９】
ステップＳ１５０において近接センサ３１６との通信が失敗していた場合、アクセサリＣＰＵ３１０は処理をステップＳ１９０に進める。ステップＳ１９０でアクセサリＣＰＵ３１０は、自動切替モードを無効にする。続くステップＳ２００でアクセサリＣＰＵ３１０は、軽度異常データ４１０を「１」にセットする。
【００５０】
ステップＳ１７０でアクセサリＣＰＵ３１０は、動作状態データ４００をカメラボディ１００（ボディＣＰＵ１１０）に送信する。なお、ステップＳ１３０で、重度異常データ４２０が「１」に設定された場合、軽度異常データ４１０がどのような値であっても、ボディＣＰＵ１１０は当該重度異常データ４２０に基づき異常対応を行う。従って、重度異常データ４２０が「１」に設定された場合、アクセサリＣＰＵ３１０は軽度異常データ４１０にどのような値を設定してもよい。また、動作状態データ４００に軽度異常データ４１０が含まれていなくてもよい。
【００５１】
上述した第１の実施の形態によるカメラシステムによれば、次の作用効果が得られる。
（１）液晶パネル３０３（表示手段）には、カメラボディ１００から出力される映像信号に基づく映像が表示される。アクセサリＣＰＵ３１０（異常検知手段、分類手段）は、アクセサリ３００における複数種類の異常の発生を検知する。そして、検知した複数種類の異常を、液晶パネル３０３による映像の表示に及ぼす影響の大きさに応じて軽度異常と重度異常とに分類する。アクセサリＣＰＵ３１０（送信手段）は、軽度異常に分類される異常が発生したか否かを表す軽度異常データ４１０と、重度異常に分類される異常が発生したか否かを表す重度異常データ４２０とをカメラボディ１００に送信する。このようにしたので、カメラボディ１００側で、発生した異常が軽度な異常か重度の異常かを区別することができる。
【００５２】
（２）アクセサリＣＰＵ３１０は、液晶パネル３０３が映像を表示できない異常を重度異常に分類し、液晶パネル３０３が映像を継続して表示することに異常をきたす異常を軽度異常に分類する。このようにしたので、カメラボディ１００は、検知される可能性のある異常の種類を全て把握する必要なしに、発生した異常がアクセサリ３００の利用を継続できる程度の異常か否かを判断することができる。
【００５３】
（３）電源生成回路３１５（電圧生成手段）は、カメラボディ１００から供給される電圧ＶＢＡＴ（電源電圧）に基づいて、液晶パネル３０３の動作電圧を生成する。アクセサリＣＰＵ３１０は、カメラボディ１００から映像信号を正常に受信できない第１異常と、電源生成回路３１５が動作電圧を正常に生成できない第２異常とを検知可能に構成され、第１異常と第２異常とを重度異常に分類する。このようにしたので、カメラボディ１００は、液晶パネル３０３による映像表示を継続できない異常であれば、その異常の種類に関わらず、重度異常が発生したと判断することができる。
【００５４】
（４）アクセサリＣＰＵ３１０（禁止手段）は、第１異常または第２異常を検知した場合、液晶パネル３０３による映像の表示を禁止する。このようにしたので、異常発生時に正常でない映像の表示が継続されることがなく、ユーザに正常でない映像を見せてしまうことがない。
【００５５】
（５）温度センサ３１７（温度検出手段）は、アクセサリ３００の内部温度を検出する。近接センサ３１６（動作検出手段）は、ユーザの近接動作を検出する。アクセサリＣＰＵ３１０は、温度センサ３１７により所定のしきい値以上の温度が検出された第３異常を検知可能に構成され、第３異常を軽度異常に分類する。このようにしたので、カメラボディ１００は、高温が検出された場合であっても、アクセサリ３００が利用可能であると正しく認識することができる。
【００５６】
（６）液晶パネル３０３は、アクセサリＣＰＵ３１０により第３異常が検知された場合、液晶パネル３０３における発熱が低減するように動作する。このようにしたので、第３異常が発生した場合であっても、アクセサリ３００の利用を継続することができる。また、今後、第３異常が解消することを期待することができる。
【００５７】
（７）アクセサリＣＰＵ３１０は、近接センサ３１６（動作検出手段）が近接動作を正常に検出できない第４異常を検知可能に構成され、第４異常を軽度異常に分類する。このようにしたので、カメラボディ１００は、近接センサ３１６の異常が検出された場合であっても、アクセサリ３００が利用可能であると正しく認識することができる。
【００５８】
（８）アクセサリＣＰＵ３１０（モード設定手段）は、近接センサ３１６による近接動作の検出結果に応じて液晶パネル３０３に映像を表示するか否かを決定する自動切替モード（自動表示モード）と、接センサ３１６による近接動作の検出結果に関わらず液晶パネル３０３に映像を表示する手動表示モード（アクセサリ側表示モード）とを択一的に設定する。アクセサリＣＰＵ３１０は、第４異常を検知した場合、自動切替モードの設定を禁止する。このようにしたので、ユーザは近接センサ３１６が正常に動作しない場合であっても、アクセサリ３００の利用を継続することができる。
【００５９】
次のような変形も本発明の範囲内であり、変形例の一つ、もしくは複数を上述の実施形態と組み合わせることも可能である。
【００６０】
（変形例１）
上述した実施の形態では、図５におけるステップＳ１３０において、アクセサリＣＰＵ３１０は、重度異常データ４２０が「１」に設定された場合、ステップＳ１７０に進み、動作状態データ４００をカメラボディ１００（ボディＣＰＵ１１０）に送信したが、本発明はこのような実施の形態に限定されない。映像信号の異常によって重度異常データ４２０が「１」に設定された場合、つまりステップＳ１００において肯定判定された場合、アクセサリＣＰＵ３１０は、ステップＳ１３０において重度異常データ４２０を「１」に設定し、ステップＳ１４０以降の軽度異常の有無を確認するようにしてもよい。その結果、アクセサリ３００の異常の度合いをより正確に検出することができる。一方、電源生成回路３１５の出力電圧が所定の出力電圧がしきい値未満と判定されたことによって重度異常データ４２０が「１」に設定された場合、つまりステップＳ１１０において肯定判定された場合、アクセサリＣＰＵ３１０は、ステップＳ１３０において重度異常データ４２０を「１」に設定し、ステップＳ１７０に進むようにする。
【００６１】
（変形例２）
本発明は、図１に示したものとは異なるカメラシステムに適用することもできる。例えば、クイックリターンミラーを備えた、いわゆる一眼レフレックス方式のカメラシステムにも本発明を適用することが可能である。また、レンズ交換式のカメラシステムだけでなく、シュー座を備えたレンズ一体式のカメラシステムにも本発明を適用することが可能である。
【００６２】
（変形例３）
上述した実施の形態では、いわゆる外付け型の電子ビューファインダーユニットに本発明を適用した例を説明したが、本発明はこのような実施の形態に限定されない。例えば、より大型の表示画面を備えた、接眼利用を想定しない表示用アクセサリに本発明を適用することもできる。
【００６３】
（変形例４）
上述した第１異常〜第４異常は、アクセサリ３００に生じうる異常の一例であり、本発明を上述したものとは異なる異常に対して適用することも可能である。また、異常の発生に対する対処方法も、その異常の内容に合わせて適宜設定することが可能である。例えば、重度異常が発生した場合に、アクセサリ３００への電圧Ｖｃｃ、電圧ＶＢＡＴの供給を中断してもよい。
【００６４】
（変形例５）
軽度異常データ４１０や重度異常データ４２０に、発生した異常の詳細情報を格納するようにしてもよい。例えば、第３異常と第４異常とを区別できるような情報を軽度異常データ４１０に用意してもよい。また、ボディＣＰＵ１１０が、そのような情報に基づき、エラーメッセージを変化させてもよい。例えば、第３異常と第４異常とで、表示されるメッセージを変化させてもよい。
【００６５】
（変形例６）
上述した実施の形態では、アクセサリ３００内部には液晶パネル３０３が設けられているものとして説明したが、この液晶パネルの代わりに有機ＥＬパネルを用いるようにしても良い。
【００６６】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００６７】
１…カメラシステム、１００…カメラボディ、１０２…撮像素子、１０５…背面モニタ、１１０…ボディＣＰＵ、１１３…トランスミッタＩＣ、２００…交換レンズ、３００…アクセサリ、３０３…液晶パネル、３１０…アクセサリＣＰＵ、３１３…レシーバＩＣ、３１４…ドライバＩＣ
【図１】
2015076632.tif 000003
【図２】
2015076632.tif 000004
【図３】
2015076632.tif 000005
【図４】
2015076632.tif 000006
【図５】
2015076632.tif 000007